(57)【特許請求の範囲】
【請求項１】
ペット用食物を収納する食器（３）と、食器（３）の下側に配置される敷設マット（４）とを備え、食器（３）と敷設マット（４）との間に、食器（３）を転倒防止及び移動防止するように敷設マット（４）に係合保持する係合手段（６）が設けられており、
前記係合手段（６）は、敷設マット（４）の厚み方向に貫通した固定孔（３３）と、食器（３）の下部から外方突設した係合片とを備え、食器（３）の下部が前記固定孔（３３）に嵌合され、係合片が固定孔（３３）から敷設マット（４）の下面に挿入係合されており、
前記食器（３）は、平面視略四角形でかつ中央に開口を形成可能な天板（９）と、この天板（９）の対向２辺に折れ線（ａ１）を介して折られる第１側板（１１）と、天板（９）の他の対向２辺に折れ線（ａ２）を介して折られる第２側板（１２）と、一方の第２側板（１２）に折れ線（ａ３）を介して折られて前記天板（９）と対向可能な底板（８）とが設けられており、
前記底板（８）は第２側板（１２）との間の折れ線（ａ３）に沿う方向で第２側板（１２）の一端又は両端より長く突出形成されていて、その突出端部に前記係合片が形成されていることを特徴とするペット用給餌セット。
【請求項２】
前記天板（９）は、切れ線（ｂ１）を介して切り取ることにより中央開口を形成する切取板部（２６）と、この切取板部（２６）の外周側で折れ線（ａ９）を介して揺動可能なフラップ状の４枚の開閉蓋（２７）とが形成されていることを特徴とする請求項１に記載のペット用給餌セット。
【請求項３】
敷設マット（４）には、折り畳み自在になるように複数に区画する折れ線（ｃ）が設けられており、前記各区画の幅は底板（８）の係合片突出方向と直交する幅に略等しいことを特徴とする請求項１又は２に記載のペット用給餌セット。
【請求項４】
食器（３）には、外周部が天板（９）の開口から上方突出可能な防水シート（２９）が食器（３）の内面に沿うように敷設され、食器（３）の底部の防水シート（２９）上にペット用食物としての草（３１）の種子（３１ａ）が生育可能状態で収納されていることを特徴とする請求項１〜３のいずれかに記載のペット用給餌セット。
【発明の詳細な説明】
【技術分野】
【０００１】
本発明は、犬や猫等のペットに食物を与えるためのペット用給餌セットに関するものである。
【背景技術】
【０００２】
従来のペット用食器には、食器本体の底部下方に重り体を付設し、重り体の重量によって食器が転倒したり移動したりするのを防止するようにしたものがある（例えば特許文献１）。
【先行技術文献】
【特許文献】
【０００３】
【特許文献１】特開平８−１１６８１６号公報
【発明の概要】
【発明が解決しようとする課題】
【０００４】
しかし、従来では、例えば、ペット用食器を庭や部屋の床等に敷設した敷設マット上に載置して犬や猫等のペットにペット用食器で食物を与えた場合、重り体の重量によるペット用食器の移動防止や転倒防止が不十分であり、ペットがペット用食物を食べる際に、敷設マット上のペット用食器が移動したり転倒したりするおそれがあった。特に、ペット用食器にペット用食物としてえん麦や大麦等のペット用草を生育可能状態で収納し、これをペットに食べさせる場合には、ペットがペット用草を食いちぎる力がペット用食器に作用するため、大きく移動したり転倒したりするのを防止することが困難であった。
【０００５】
本発明は上記問題点に鑑み、ペットがペット用食物を食べる際に、食器が移動したり転倒したりするのをより確実に防止できるペット用給餌セットを提供することを目的としている。
【課題を解決するための手段】
【０００６】
本発明における課題解決のための具体的手段は、次の通りである。
この技術的課題を解決する本発明の技術的手段は、ペット用食物を収納する食器３と、食器３の下側に配置される敷設マット４とを備え、食器３と敷設マット４との間に、食器３を転倒防止及び移動防止するように敷設マット４に係合保持する係合手段６が設けられており、
前記係合手段６は、敷設マット４の厚み方向に貫通した固定孔３３と、食器３の下部から外方突設した係合片とを備え、食器３の下部が前記固定孔３３に嵌合され、係合片が固定孔３３から敷設マット４の下面に挿入係合されており、
前記食器３は、平面視略四角形でかつ中央に開口を形成可能な天板９と、この天板９の対向２辺に折れ線ａ１を介して折られる第１側板１１と、天板９の他の対向２辺に折れ線ａ２を介して折られる第２側板１２と、一方の第２側板１２に折れ線ａ３を介して折られて前記天板９と対向可能な底板８とが設けられており、
前記底板８は第２側板１２との間の折れ線ａ３に沿う方向で第２側板１２の一端又は両端より長く突出形成されていて、その突出端部に前記係合片が形成されている点にある。
【０００７】
また、本発明の他の技術的手段は、前記天板９は、切れ線ｂ１を介して切り取ることにより中央開口を形成する切取板部２６と、この切取板部２６の外周側で折れ線ａ９を介して揺動可能なフラップ状の４枚の開閉蓋２７とが形成されている点にある。
また、本発明の他の技術的手段は、敷設マット４には、折り畳み自在になるように複数に区画する折れ線ｃが設けられており、前記各区画の幅は底板８の係合片突出方向と直交する幅に略等しい点にある。
【０００８】
また、本発明の他の技術的手段は、食器３には、外周部が天板９の開口から上方突出可能な防水シート２９が食器３の内面に沿うように敷設され、食器３の底部の防水シート２９上にペット用食物としての草３１の種子３１ａが生育可能状態で収納されている点にある。
【発明の効果】
【０００９】
本発明によれば、ペットが食物を食べる際に敷設マット上に乗るため、ペットの重さで敷設マットが動かなくなり、この動かなくなった敷設マットに対して係合手段により食器が転倒防止及び移動防止するように敷設マットに係合保持されているため、食器が移動したり転倒したりするのをより確実に防止できる。このため、食器からペット用食物、水、土等が不測に敷設マットの外へこぼれ落ちたりするのを防ぐことができ、ペット用食物で庭や部屋の床等が汚れるのを防止できる。
食器の天板、第１側板、第２側板及び底板を折り曲げによって形成でき、係合手段を構成する食器の係合片を底板の突起で簡単かつ容易に形成できる。
天板に形成する中央開口を切取板部と４枚の開閉蓋とで簡単かつ容易に形成できる。
敷設マットは折り畳むと底板の幅と合わせることができる。
防水シートを食器の内面に敷設しておくことにより、食器を紙で形成することが可能になる。
【図面の簡単な説明】
【００１０】
【図１】本発明の第１実施形態を示すペット用給餌セットの使用状態の側面断面図である。
【図２】同ペット用給餌セットの斜視図である。
【図３】同ペット用給餌セットの平面図である。
【図４】同図３のＡ−Ａ線断面図である。
【図５】同ペット用給餌セットの収納状態の斜視図である。
【図６】同食器の展開図である。
【図７】第２実施形態を示すペット用給餌セットの使用状態の側面断面図である。
【図８】同ペット用給餌セットの平面図である。
【発明を実施するための形態】
【００１１】
以下、本発明の実施の形態を図面に基づいて説明する。
図１〜図６は本発明の第１実施形態を示している。図１〜図４において、ペット用給餌セット１は、ペット用食物を収納する食器３と、食器３の下側に配置される敷設マット４とを備え、食器３と敷設マット４との間に食器３を敷設マット４に係合保持する係合手段６が設けられている。
【００１２】
本実施形態では、食器３は図５に示すように１枚の敷設マット４に対して２個セットして販売等されることが予定されている。各食器３は、厚紙により構成した食器形成シートを箱形状に組み立ててなり、図６にも示すように、底板８と底板８に対向する天板９と前後の第１側板１１と左右の第２側板１２と備え、天板９に折れ線ａ１を介して前後の第１側板１１が連結されると共に、折れ線ａ２を介して左右の第２側板１２が連結され、底板８に折れ線ａ３を介して一方の第２側板１２が連結されている。
【００１３】
前後の第１側板１１に折れ線ａ４を介して第１折片１４がそれぞれ突設され、左右の第２側板１２に折れ線ａ５又は折れ線ａ６を介して第２折片１５又は第３折片１６がそれぞれ突設され、他方の第２側板１２に折れ線ａ７を介して第４折片１７が突設されている。
底板８の前後両側に第１係合片１９と第２係合片２０とが突設され、第１係合片１９は折れ線ａ８を介して２つ折りに折り返されて、第１係合片１９の外端部が底板８の内面に折り込まれている。第１係合片１９に展示する際等に使用される吊下用の取付孔２１が貫通形成されている。
【００１４】
而して、各折れ線ａ１〜ａ７で食器形成シートを直角に折曲して、第１折片１４を底板８の内面に折り込み、第２折片１５を第１側板１１の内面に折り込み、第３折片１６を第１側板１１の内面に折り込み、第４折片１７を底板８の内面に貼り付けることによって、長方形の箱形状の食器３が形成され、食器３の底部の前後両側に第１係合片１９と第２係合片２０とが外方突出されている。
【００１５】
天板９に長方形状の折れ線ａ９が設けられると共に、折れ線ａ９の４隅部に円弧状の裂け防止部２３が設けられ、折れ線ａ９の内側にミシン目状の切れ線ｂ１が設けられており、天板９を切れ線ｂ１で切断すると共に、折れ線ａ９で上側に折り曲げることにより、折れ線ａ９の外側に額縁状の枠板部２５が形成されると共に、天板９中央部の切取板部２６が切り取られて、折れ線ａ９の内側に折れ線ａ９を介して揺動可能なフラップ状の４枚の開閉蓋２７が形成され、この開閉蓋２７が枠板部２５から上方に突出されて、食器３は上端が開口した状態になるように構成されている。
【００１６】
左右の第２側板１２は天板９から底板８に向けて徐々に幅広になる台形状に形成されており、食器３を箱形状に組み立てたときに前後の第１側板１１が上方に行くに従って前後方向内方に向けて傾斜するテーパー状になるように構成されている。
食器３内に防水シート２９が食器３内面に沿うように敷設され、開閉蓋２７を枠板部２５から上方に突出した際には、防水シート２９の外周部は開閉蓋２７の上方で折り返されて開閉蓋２７の外面、第１側板１１及び第２側板１２の上部外面を覆うことが可能になっている。
【００１７】
図１に２点鎖線で示すように、食器３の底部の防水シート２９上に圧縮、乾燥された培地３０が収納され、培地３０上にえん麦、大麦、小麦等のペット用草３１の種子３１ａが蒔かれ、培地３０とペット用草３１の種子３１ａとを包囲するメッシュ材３４が設けられており、水を与えることによって、培地３０が図１に２点鎖線で示す状態から実線で示すように上方に膨張し、ペット用草３１が生育可能に栽培され、ペット用草３１の上部が食器３の上端開口から上方突出するようになっている。
【００１８】
従って、食器３はペット用草３の栽培容器を兼ねており、ペット用食物としてペット用
草３１が生育可能状態で収納され、食器３に収納したペット用草３１の上部を犬や猫等のペットが食べることができるようになっている。
ここで、ペット用草３１は猫や犬等が食べる草であり、猫等のペットは、毛繕いの際に呑み込んだ毛を吐き出したり、排泄したりするために草を食べる習性があり、ペット用草３１は整腸作用があるといわれている。
【００１９】
敷設マット４は例えば防水フィルムが施された厚紙や合成樹脂により長方形のシート状に形成され、敷設マット４には、折り畳み自在になるように複数の折れ線ｃが設けられている。これら折れ線ｃはプレスによる凹溝形成や半切り刃やミシン目その他により形成されていて、敷設マット４に縦横に格子状に形成されており、敷設マット４を８つの長方形状の板体３２に区画している。従って、敷設マット４は小さく折り畳み自在になっている。
【００２０】
敷設マット４の中央部に容器の底板８に対応する長方形状の固定孔３３が厚み方向に貫通形成されている。
前記係合手段６は、敷設マット４に形成した固定孔３３と、食器３の下部から外方突設した第１係合片１９及び第２係合片２０とを備えてなり、庭や部屋の床等に敷設した敷設マット４の固定孔３３に食器３の下部が嵌合され、第１係合片１９と第２係合片２０とが固定孔３３から敷設マット４の下面に挿入係合され、これにより、食器３を転倒防止及び移動防止するようになっている。
【００２１】
上記第１実施形態によれば、ペット用給餌セット１によって犬や猫等のペットにペット用草３１を食べさせる場合、食器３の底部の培地３０上でペット用草３１が栽培されてペット用草３１の上部が食器３の上端開口から上方突出された状態で、図１〜図４に示すように、食器３を庭や部屋の床等に設置し、その後、敷設マット４を展開した状態で固定孔３３を介して食器３の上側から挿入嵌合して庭や部屋の床等に敷設し、これにより、敷設マット４の固定孔３３に食器３の下部を嵌合した状態にし、第１係合片１９と第２係合片２０とを固定孔３３から突出させて敷設マット４の下面に係合しておき、ペットにペット用草３１を食べさせる。
【００２２】
この場合、ペットがペット用草３１を食べる際に敷設マット４上に乗るため、ペットの重さで敷設マット４が動かなくなり、この動かなくなった敷設マット４に対して係合手段６により食器３が転倒防止及び移動防止するように敷設マット４に係合保持されているため、食器３が移動したり転倒したりするのをより確実に防止できる。このため、食器３からペット用草３１、水、土等が敷設マット４から不測にはみ出してこぼれ落ちたりするのを防ぐことができ、ペット用草３１で庭や部屋の床等が汚れるのを防止できる。
【００２３】
また、ペット用給餌セット１を図４に鎖線で示す如く壁３５等の際に設置する場合には、例えば、図４に示すように、敷設マット４の壁３５側の板体３２のみを折れ線ｃで矢印ａ方向に折曲して中央側の板体３２の下面に重合させることによって、食器３を壁３５側に接近させて設置することができ、便利である。
ペット用給餌セット１を収納保管する場合には、図４に示すように、敷設マット４を折れ線ｃで矢印ａで示すように上側から見て山折り状に折り曲げて、図５に示すように小さく折り畳むと共に、敷設マット４上に２つの食器３を並べて載置して収納すれば、ペット用給餌セット１を店頭等でコンパクトに収納保管しておくことができる。
【００２４】
また、食器３には、ペット用食物としてのペット用草３１を生育させた状態では、ペット用草３１の上部が食器３の上端開口から上方突出されているので、ペット用草３１を生育可能状態の新鮮なままでその上部をペットに食べさせることができるし、ペット用草３１をペットが食べた後に、ペット用草３１を生育させて伸ばすことができるため、ペット用草３１を複数回にわたって食べさせることができる。しかも、食器３に収納されるペット用草３１が適当な量に制限されるため、ペット用草３１を食べ過ぎることも防止できる。また、食器３が２個具備されているので、一方を食器３でペット用草３１を食べさせている間に、他方の食器３でペット用草３１を与える準備をすることができ、便利である。
【００２５】
また、本実施形態では、食器３は紙製であり簡単に焼却可能であるため、使用後はそのまま捨てることができる。
図７及び図８は第２実施形態を示し、敷設マット４の前記第１実施形態における敷設マット４の固定孔３３を省略し、敷設マット４の中央部の前後両側に、第１係合片１９に対応する第１係止孔３７と第２係合片２０に対応する第２係止孔３８とを設け、係合手段６を敷設マット４に設けた第１係止孔３７及び第２係止孔３８と、食器３に設けた第１係合片１９及び第２係合片２０とで構成している。
【００２６】
そして、敷設マット４の中央部上に食器３を載置し、第１係合片１９を第１係止孔３７に挿入して敷設マット４の下面に係合させると共に、第２係合片２０を第２係止片に挿入して敷設マット４の下面に係合させることにより、食器３の転倒防止及び移動防止をなし得るようにしている。
また、複数の折れ線ｃによって敷設マット４を６つの長方形状の板体３２に区画している。その他の点は前記第１実施形態の場合と同様の構成である。
【００２７】
なお、前記実施形態では、係合手段６は、敷設マット４の厚み方向に貫通した固定孔３３と、食器３の下部から外方突設した第１係合片１９及び第２係合片２０とで構成され、又は敷設マット４に設けた第１係止孔３７及び第２係止孔３８と、食器３に設けた第１係合片１９及び第２係合片２０とで構成されているが、係合手段６はこのようなものに限定されず、例えば、係合手段６を敷設マット４の上面に設けた面ファスナーと、食器３の下面に設けた面ファスナーとで構成し、これら面ファスナーを介して食器３を敷設マット４に着脱自在に係合保持するようにしてもよい。
【００２８】
また、前記実施形態では、係合手段６の係合片には第１係合片１９と第２係合片２０との２つが設けられているが、これに代え、係合片は１つであってもよく、この場合、係合片を底板８の外周に環状に外方突出させるようにしてもよい。また、係合片を底板８の外周に３つ以上外方突出するようにしてもよい。
また、前記実施形態では、敷設マット４に設けた折れ線ｃはプレスによる凹溝形成や半切り刃やミシン目その他により形成されているが、複数の折れ線ｃをプレスによる凹溝形成や半切り刃やミシン目その他により上側から見て山折りに折曲するように形成してもよいし、谷折りに折曲するように形成してもよい。また、複数の折れ線ｃを山折りと谷折りとが交互になるようにしてもよいし、複数の折れ線ｃを山折りと谷折りのどちらにでも折曲できるようにしてもよい。
【００２９】
また、前記実施形態では、食器３は厚紙により構成しているが、これに代え、食器３を合成樹脂により一体成形するようにしてもよいし、また、アルミ等の金属により形成するようにしてもよい。
また、前記実施形態では、食器３にペット用食物としてペット用草３１が生育可能状態で収納され、食器３はペット用草３１の栽培容器を兼ねているが、これに代え、食器３に市販のペットフード等の通常の餌を収納して食べさせるようにしてもよい。
【００３０】
また、前記実施形態では、食器３は１枚の敷設マット４に対して２個具備されているが、これに代え、１枚の敷設マット４に対して食器３を１個のみ、又は３個以上具備するようにしてもよいことは勿論である。
【符号の説明】
【００３１】
１      ペット用給餌セット
３      食器
４      敷設マット
６      係合手段
１９    第１係合片
２０    第２係合片
３０    培地
３１    ペット用草
３１ａ  種子
３３    固定孔
【図１】
0006377483.tif 000002
【図２】
0006377483.tif 000003
【図３】
0006377483.tif 000004
【図４】
0006377483.tif 000005
【図５】
0006377483.tif 000006
【図６】
0006377483.tif 000007
【図７】
0006377483.tif 000008
【図８】
0006377483.tif 000009